(57)【要約】      （修正有）【課題】必要に応じ複数の大きさの袋に適応できる袋掛けスタンドを提供する。また、アームに係止した袋の開口部が滑り落ちる事が無く、使用時に袋の開口部を破損する事のない袋掛けスタンドを提供する。さらには、簡単な構造で製作費を低く抑えた袋掛けスタンドを提供する。【解決手段】袋の開口部を上方に向けて、該袋を吊り下げる袋掛けスタンドであって、袋の開口縁部を係止し、かつ、保持するための一対のアーム部材１と、アーム部材の端部から下方に延長されて交差しており、交差部を支点として一対のアーム部材を開閉自在にできるように交差部で連結された一対のクロス部材３と、一対のクロス部材の下端から一対のアーム部材に対向して延長される一対の接地部材２とからなり、アーム部材、クロス部材および接地部材が一枚の平板から一体形成されるものである。【選択図】図１
0003129778.tif 000002
【実用新案登録請求の範囲】
【請求項１】
袋の開口部を上方に向けて、該袋を吊り下げる袋掛けスタンドであって、前記袋の開口縁部を係止し、かつ、保持するための一対のアーム部材と、該アーム部材の端部から下方に延長されて交差しており、交差部を支点として前記一対のアーム部材を開閉自在にできるように交差部で連結された一対のクロス部材と、該一対のクロス部材の下端から前記一対のアーム部材に対向して延長される一対の接地部材とからなり、前記アーム部材、前記クロス部材および前記接地部材が一枚の平板から一体形成される袋掛けスタンド
【請求項２】
前記一対の接地部材が前記一対のアーム部材より長い請求項１記載の袋掛けスタンド
【請求項３】
前記一対のアーム部材及び前記一対の接地部材の先端が全て内側に曲げてある請求項１または２記載の袋掛けスタンド
【請求項４】
前記一対のクロス部材の交差部にアーム部材の所定の使用範囲をこえた拡がりを防止するためのストッパーを設けてある請求項１、２または３記載の袋掛けスタンド
【考案の詳細な説明】
【技術分野】
【０００１】本発明は袋掛けスタンドに関する。家庭やイベント会場などで用いられるゴミ袋または工業用粉体や粒体などの充填袋などを簡単に着脱自在に保持することができる袋掛けスタンドに関する。
【背景技術】
【０００２】  従来より、たとえばゴミ袋を所定の場所に常設する方法としては、外筒にゴミ袋を収納し、ゴミ袋の開口縁部に内リングを嵌め込んだのち、内リングをチャックするようにした機械的に袋チャックする構造、またはゴミ容器にゴミ袋を収納したのち、蓋を被せるようにした床面据え置型などがある。【０００３】  また、折り畳みできるスタンド型のゴミ袋保持具としては、様々なものが提案されているが、特定の大きさのゴミ袋を想定したもので、複数の大きさのゴミ袋に適切に対応するものは存在しなかった。また、アーム部材が、丸棒で製作されたものは係止した袋の開口部が滑り落ちるおそれがあった。
さらに、スーパーマーケットで提供される取手付きレジ袋の使用を前提としているものでは、アームに設けた取手固定用の突起がゴミ袋を利用するのにはかえって邪魔であった。【０００４】
【特許文献１】実開昭６０−１３３０９号公報
【特許文献２】実開昭６０−１４２７０８号公報
【特許文献３】実開昭６０−１４２７０９号公報
【特許文献４】実開昭６０−１１０２０３号公報
【特許文献５】実用登録３０５３５７９号公報
【特許文献６】実開昭６０−１３３０９号公報
【特許文献７】特開平１１−２１７１０２号公報
【考案の開示】
【考案が解決しようとする課題】
【０００５】本考案は、必要に応じ複数の大きさの袋に適応できる袋掛けスタンドを提供するものである。
また、アームに係止した袋の開口部が滑り落ちる事が無く、使用時に袋の開口部を破損する事のない袋掛けスタンドを提供するものである。
さらには、簡単な構造で製作費を低く抑えた袋掛けスタンドを提供するものである。
【課題を解決する為の手段】
【０００６】  本考案の袋掛けスタンドは、袋の開口部を上方に向けて、該袋を吊り下げる袋掛けスタンドであって、前記袋の開口縁部を係止し、かつ、保持するための一対のアーム部材と、該アーム部材の端部から下方に延長されて交差しており、交差部を支点として前記一対のアーム部材を開閉自在にできるように交差部で連結された一対のクロス部材と、該一対のクロス部材の下端から前記一対のアーム部材に対向して延長される一対の接地部材とからなり、前記アーム部材、前記クロス部材および前記接地部材が一枚の平板から一体形成されるものである。
【０００７】また、前記一対の接地部材が前記一対のアーム部材より長いので、上下逆様にして用いるとより大きな袋のスタンドとして用いることが出来る。
また、前記一対のアーム部材及び前記一対の接地部材の先端が全て内側に曲げてあるので、使用中に袋の開口部を破損することがない。
さらに、前記一対のクロス部材の交差部にアーム部材の所定の使用範囲をこえた拡がりを防止するためのストッパーを設けてある。
【考案の効果】
【０００８】  以上説明したとおり、本考案によれば、上下逆様にして用いることにより複数の大きさの袋を装着することができるため、汎用性がよい袋ホルダーを得ることができる。また、袋は一対のアームに引っ掛けたり、外したりするだけでよいので、袋の着脱が容易に行なえる。また、アーム部材に平板を用いたことで、アーム左右間が弾性バネ状になり袋掛け口を保持し袋がアームから滑り落ちる事も無く、アーム先端部を内側に曲げてあるので袋を突き破って破損することがない。
さらに、アーム部材、クロス部材および接地部材が一枚の平板から一体形成されるので、製造コストが安くなる。
【考案を実施する為の最良の形態】
【０００９】以下、本考案の実施の形態について図面を参照して説明する。
【００１０】図１に示す様に、本考案の袋掛けスタンドは一枚の平板鋼材（厚み４．５ｍｍ、幅１９ｍｍ）の二ヶ所をひねり曲げてコの字型に加工し、アーム部材１、クロス部材３、及び接地部材２を一体形成したもの２個を一対に組み合わせて用いた。
クロス部材同士は、平面で交差し、交差部を支点部として、穴を開けて回転可能にビス４で止めて固定してある。また、図１及び図４に示すように外側のクロス部材にストパー５が設置してある。
アーム部材の先端部６は内側に屈曲してあり、また接地部材の先端部７も同様に内側に屈曲してある。
図３に示すように保管時にはコンパクトに重ねあわせられるようにコの字型にひねり曲げた一対の平板鋼材の内、内側の方をやや小さめに製作してある。
【００１１】  一対の前記一対の接地部材が一対のアーム部材より長いので、アーム部材が接地部材となる様に上下逆さにして用いると、より大きい袋を装着することができる。
使用中に内容物にゴミが有る場合でも図３に示すように投入口をたたみ、立て掛けて置けばスペースが節約出来る。また、満杯になった袋はスタンドの前方に引き出して取り外すことができる。
【図面の簡単な説明】
【００１２】
【図１】本考案の実施の形態を示す袋掛けスタンドの斜視図
【図２】同袋掛けスタンドに袋を掛けた斜視図
【図３】同袋掛けスタンドに内容物の入った袋を掛けて折り畳んだ斜視図
【図４】同袋掛けスタンドのストッパー部周辺の斜視図
【符号の説明】
【００１３】    １  アーム部材
２  接地部材
３  クロス部材
４  支点部のビス
５  ストッパー
６  アーム部材先端の屈曲部
７  接地部材先端の屈曲部
８  吊り下げた袋
【図１】
0003129778.tif 000003
【図２】
0003129778.tif 000004
【図３】
0003129778.tif 000005
【図４】
0003129778.tif 000006